(57)【要約】【課題】クマゼミの産卵による特性劣化を好適に抑制したケーブルを提供する。【解決手段】線状導体１と、前記導体１を被覆する被覆層を有し、前記被覆層は、内層側の一次被覆層と外層側の二次被覆層を備え、前記一次被覆層および二次被覆層の厚さの合計は１.９ｍｍ以上２．６ｍｍ以下であり、前記二次被覆層と前記一次被覆層が分離可能である。本発明のケーブルによれば、被覆層の厚さ、即ち、一次被覆層厚さと二次被覆層厚さの合計をクマゼミの産卵管が貫通できない最小限の厚さとしたので、被覆層の内側まで産卵管によるダメージが及ぶことはなく、ケーブル外径、ケーブル重量の増加を最小限に抑えることができる。【選択図】図１
2007123001.tif 000002
【特許請求の範囲】
【請求項１】
線状導体と、前記導体を被覆する被覆層を有し、前記被覆層は、内層側の一次被覆層と外層側の二次被覆層を備え、前記一次被覆層および二次被覆層の厚さの合計は１.９ｍｍ以上２．６ｍｍ以下であり、前記二次被覆層と前記一次被覆層が分離可能であることを特徴とするケーブル。
【請求項２】
請求項１に記載のケーブルであって、前記一次被覆層の厚さが、０．４ｍｍ以上０．６ｍｍ以下であることを特徴とするケーブル。
【請求項３】
請求項１または２に記載のケーブルであって、前記二次被覆層の外側に支持線をさらに備えたことを特徴とするケーブル。
【請求項４】
請求項１から３いずれか一つに記載のケーブルであって、前記一次被覆層と二次被覆層の間に、剥離層を備えたことを特徴とするケーブル。
【請求項５】
請求項１から４いずれか一つに記載のケーブルであって、前記線状導体は、それぞれ絶縁した２つの導線を対撚りした対撚り線が１つ以上集合されてなることを特徴とするケーブル。
【発明の詳細な説明】
【技術分野】
【０００１】
本発明は、線状導体と被覆層を有するケーブルに関する。
【背景技術】
【０００２】
線状導体と被覆層を有するケーブルはさまざまな場所に布設されており、架空布設されることもしばしばである。例えば、電話線などの通信線においては、図３、図４に示すようにそれぞれ絶縁された２つの導線１、１を対撚りして１つの対撚り線２とし、これを１つあるいは複数集合し、絶縁層３を介して被覆層４を施し、さらに支持線５を付与して架空ケーブルとするのが一般的である。支持線を付与した架空ケーブルは例えば特許文献１（特開平８−２１２８４１号公報）に開示されている。
【０００３】
上述の架空通信線においては、小型化、軽量化の要請と、布設時や布設後のダメージからの導体保護とのバランスから、支持線５を除いた被覆層４の外径を以下のように設定することが半ばデファクトスタンダード化されて極めて広く採用されている。即ち、対撚り線２が１つのものでは、被覆層４の厚さは０．５ｍｍ程度、被覆層４の外径が４ｍｍ程度（図３参照）、対撚り線２が２つのものでは被覆層４の厚さが０．５ｍｍ程度、被覆層４の外径が４．５ｍｍ程度（図４参照）に設定されるのが一般的である。
【０００４】
【特許文献１】特開平８−２１２８４１号公報
【発明の開示】
【発明が解決しようとする課題】
【０００５】
しかしながら、従来より、特に架空布設されるケーブルにおいて、原因不明の外的ダメージによる特性劣化がしばしば発生していた。本願発明者等は、鋭意研究の末、上述の外的ダメージがクマゼミの産卵によってもたらされることを見出した。クマゼミは本来、木の枝などの自然界に存在する棒状体に産卵管を突き刺し、棒状体内部に卵を産み付ける習性をもつが、ケーブルが上記の棒状体と認識され、産卵管が突き刺される結果、特性劣化を招くことを見出した。従来においては、通常は金属線からなり、相当の強度を有するケーブル内の線状導体がセミの産卵管によって損傷することは考えにくいこと、線状導体が損傷するに至らずとも、ケーブルの外傷により絶縁不良をもたらし、特性劣化を招く場合もあるが、この場合には、相当の時間を要し、原因解明を阻害していたため、上記知見が一般に認識されず、今日に至ったものと思料する。少なくとも従来の技術水準においては、架空布設されるケーブルにおける、クマゼミの産卵によるダメージのリスク算定はできておらず、結果として現実に好適な対策品は存在していないというのが出願人の認識である。
本発明は上記クマゼミの産卵による特性劣化を好適に抑制することを目的とする。
【課題を解決するための手段】
【０００６】
上記課題を解決し、クマゼミの産卵による特性劣化を好適に抑制できるケーブルを提供するため、本発明者等は鋭意検討の結果、以下の構成に想到した。即ち、
（１）請求項１のケーブルは、線状導体と、前記導体を被覆する被覆層を有し、前記被覆層は、内層側の一次被覆層と外層側の二次被覆層を備え、前記一次被覆層および二次被覆層の厚さの合計は１.９ｍｍ以上２．６ｍｍ以下であり、前記二次被覆層と前記一次被覆層が分離可能であることを特徴とする。
（２）請求項２のケーブルは、請求項１に記載のケーブルであって、前記一次被覆層の厚さが、０．４ｍｍ以上０．６ｍｍ以下であることを特徴とする。
（３）請求項３のケーブルは、請求項１または２に記載のケーブルであって、前記二次被覆層の外側に支持線をさらに備えたことを特徴とする。
（４）請求項４のケーブルは、請求項１から３いずれか一つに記載のケーブルであって、前記一次被覆層と二次被覆層の間に、剥離層を備えたことを特徴とする。
（５）請求項５のケーブルは、請求項１から４いずれか一つに記載のケーブルであって、前記線状導体は、それぞれ絶縁した２つの導線を対撚りした対撚り線が１つ以上集合されてなることを特徴とする。
【発明の効果】
【０００７】
請求項１に記載のケーブルによれば、被覆層の厚さ、即ち、一次被覆層厚さと二次被覆層厚さの合計をクマゼミの産卵管が貫通できない最小限の厚さとしたので、被覆層の内側まで産卵管によるダメージが及ぶことはなく、ケーブル外径、ケーブル重量の増加を最小限に抑えることができる。
【０００８】
また、被覆層全体としては従来のケーブルより外径が大きいが、一次被覆層と二次被覆層が分離可能である構成としたので、従来のデファクトスタンダードに適合した寸法を一次被覆層外径に適用し、所定の場合には二次被覆層のみを除去することにより、従来の接続部品などとの互換性も確保することができる。
【０００９】
請求項２に記載のケーブルによれば、一次被覆層厚さが従来のデファクトスタンダードに適合した一次被覆層厚さとして特に好適である。
【００１０】
請求項３に記載のケーブルによれば、支持線をさらに備えたので架空布設に好適である。即ち、特に架空布設の場合に問題となるクマゼミによる被害を好適に防止できる。
【００１１】
請求項４に記載のケーブルによれば、一次被覆層と二次被覆層の間に剥離層を設けたので分離が容易であり、従来の接続部品等と互換させる場合の作業が効率的に行える。
【００１２】
請求項５に記載のケーブルによれば通信線として好適である。通信線は通常、電力線と比較して小型なものが多く、被覆厚さが薄い傾向がある。また、架空布設される場合も電力線に比較して低い箇所に布設されるため、クマゼミの分布高度と一致し害を被る確率が高い。さらには、上述したデファクトスタンダードのごとき寸法が、種々の特性を最もバランスよく発現できるものと認識されていたため、原因解明、リスク算定なしには、従来の寸法を変更し得なかった通信線を好適にクマゼミの被害から保護することができる。
【発明を実施するための最良の形態】
【００１３】
本発明の実施形態例を、以下図例を示して詳細に説明する。
図１のケーブル１０は、それぞれ絶縁された２つの線状導体１、１（導体の外径が０．６５ｍｍ、絶縁材の外径が１．２５ｍｍ）を対撚りした一つの対撚り線２を絶縁層３を介してＰＶＣからなる一次被覆４０を施している。一次被覆４０は厚さｔ１は０．５ｍｍ、外径４．０ｍｍに構成されている。一次被覆４０の外側には剥離層４１を介して二次被覆層４２が施されている。二次被覆４２の厚さｔ２は、１．４ｍｍ以上２．１ｍｍ以下に設定されており、被覆層全体、即ち、一次被覆層と二次被覆層の厚さの合計（ｔ１＋ｔ２）は１．９ｍｍ以上２．６ｍｍ以下である。さらにケーブル１０は支持線５を備えている。支持線５は二次被覆層４２に長手方向の全体あるいは一部を結合して構成してもよいし、互いにらせん状に撚りかけて構成してもよい。
【実施例１】
【００１４】
本願発明の実施例として、図１に示すケーブル１０と同様のケーブルを数種類試作した。各種類においては一次被覆４０の厚さｔ１及び二次被覆４２の厚さｔ２を変更し、クマゼミの産卵管に対する耐久性を検証した。検証方法は、産卵時期である７月にクマゼミの多数生息する地域に各種類の試作ケーブル６ｍを架空布設し、９０日間放置したのち、二次被覆４２のみに外傷があったものを◎、二次被覆４２を貫通して一次被覆４０に外傷があったもの（一次被覆４０貫通しない）を○、一次被覆４０を貫通する外傷があったもの及びケーブル特性の劣化が認められたものを×と評価した。結果を表１に示す
【００１５】
（表１）
2007123001.tif 000003
【００１６】
表１より、二次被覆層全体の厚さ、即ち一次被覆４０及び二次被覆４２の厚さの合計ｔ1＋ｔ2ｍｍが、１.９ｍｍ以上で、クマゼミに対する耐久性が許容範囲となり、２．６ｍｍで完全に保護できるという結果となった。従って、２．６ｍｍを超えて厚さを増しても、重量増加を招くので１．９ｍｍ以上２．６ｍｍの範囲が好適であることが検証できた。
【実施例２】
【００１７】
その他に実施例として、ケーブル２０を図２に示す。ケーブル２０は、それぞれ絶縁された２つの線状導体１、１（導体の外径が０．６５ｍｍ、絶縁材の外径が１．２５ｍｍ）を対撚りした二つの対撚り線２、２を絶縁層３を介してＰＶＣからなる一次被覆４０を施している。一次被覆４０は厚さ０．５ｍｍ、外径４．５ｍｍに構成されている。一次被覆４０の外側には剥離層４１を介して二次被覆層４２が施されている。二次被覆４２の厚さｔは、１．４ｍｍ以上２．１ｍｍ以下に設定されている。従って、被覆層全体の厚さ、即ち、一次被覆４０と二次被覆４２の厚さの合計は１．９ｍｍ以上、２．６ｍｍ以下となる。さらにケーブル１０は支持線５を備えている。支持線５は二次被覆層４２に長手方向の全体あるいは一部を結合して構成してもよいし、互いにらせん状に撚りかけて構成してもよい。
【００１８】
なお、線状導体の径、心数、構成は上述した各実施例に限定されるものではない。架空布設のためには支持線５を備えるものが好適ではあるが必須ではない。また、絶縁層３の有無、構成、一次被覆４０の厚さ、外径、材質は適宜種々のものが適用可能である。
【図面の簡単な説明】
【００１９】
【図１】本発明のケーブルの第１の実施形態を示す横断面図である。
【図２】本発明のケーブルの第２の実施形態を示す横断面図である。
【図３】従来のケーブルの横断面図である。
【図４】従来のケーブルの横断面図である。
【符号の説明】
【００２０】
１  線状導体
２  対撚り線
３  絶縁層
４  被覆層
５  支持線
１０ケーブル
２０ケーブル
４０一次被覆
４１剥離層
４２二次被覆
【図１】
2007123001.tif 000004
【図２】
2007123001.tif 000005
【図３】
2007123001.tif 000006
【図４】
2007123001.tif 000007